【事件の表示】
　特願２００２−２５５９７７「遊技機」拒絶査定不服審判事件〔平成１６年３月２５日出願公開、特開２００４−８９４９０〕について、次のとおり審決する。
【結　論】
　本件審判の請求は、成り立たない。
【理　由】
１．手続の経緯
１．手続の経緯・本願発明
　本願は、平成１４年８月３０日を出願日とする特許出願であって、平成１６年９月２２日付けで拒絶理由が通知され、その指定期間内である同年１１月２６日に意見書が提出され、平成１７年２月８日付けで拒絶査定がなされ、これに対し、同年３月１８日に拒絶査定不服審判が請求され、同日付けで手続補正がなされたものであって、その請求項１に係る発明（以下、「本願発明」という。）は、平成１７年３月１８日付けの手続補正書によって補正された明細書の特許請求の範囲の請求項１に記載された事項により特定される、以下のとおりのものである。
「　遊技機の主制御を行うメイン制御装置と、
　前記メイン制御装置からの制御信号に基づいて遊技機の構成要素の制御を行う第１のサブ制御装置と第２のサブ制御装置とを備え、
　前記メイン制御装置は、前記第１のサブ制御装置と前記第２のサブ制御装置とに向けて制御信号を送信し、
　前記第２のサブ制御装置は、前記第１のサブ制御装置からの制御信号を受信するための受信手段と、
　前記第１のサブ制御装置からの前記制御信号に基づいて遊技を制御する信号処理手段と、
　前記メイン制御装置から送信された制御信号が前記第１のサブ制御装置と前記第２のサブ制御装置とに入力した所定の契機からの経過時間を計測する時間計測手段と、
　前記受信手段から前記信号処理手段に前記第１のサブ制御装置からの前記制御信号を取得可能な許可状態と取得不能な禁止状態とに切り換える切換手段とを備え、
　前記時間計測手段によって計測された前記所定の契機からの経過時間が予め定められた待機時間となったときに、前記切換手段を前記許可状態にすると共に、
　前記第１のサブ制御装置は、前記所定の契機後であって、前記待機時間の経過前に開始されかつ前記待機時間の経過後に終了する信号送信期間の間に、同じ制御信号を前記第２のサブ制御装置に向けて送信し続けることを特徴とする遊技機。」
　
２．引用文献
　原査定の拒絶の理由に引用された特開２００１−２９６２４号公報（以下、「引用文献１」という。）には、図面とともに、
【０００５】【課題を解決するための手段及び効果】前記課題を解決するため請求項１に記載の遊技機は、遊技の進行を司る主制御基板と、該主制御基板による遊技の進行に基づいた画像を表示する画像表示制御基板と、を含む遊技機において、前記画像制御基板に、前記表示される画像に対応した音を出力制御する画像音制御手段と、を備えたことを特徴とする。
【００１９】主制御基板３０は、遊技制御プログラムを記憶したＲＯＭ及び演算等の作業領域として働くＲＡＭを内蔵した８ビットワンチップマイコンを中心とした論理演算回路として構成され、この他各基板又は各種スイッチ類及び各種アクチェータ類との入出力を行うための外部入出力回路も設けられている。・・・
【００２５】音制御基板３５は、図５に示すように、入出力回路（Ｉ／Ｏ回路）３５ａ、音源ＩＣ３５ｂ及びアンプ３５ｃ等から構成されており、主制御基板３０の指令を受けてスピーカ４６を駆動制御するためのものである。本具体例では、前記特別図柄表示装置３２の図柄制御基板３２ｂと入出力回路３５ａとも電気的に接続されており、図柄制御基板３２ｂからデータを入出力回路３５ａに送信できる構成とされている。
【００２６】前述した特別図柄表示装置３２、賞球制御基板３１、発射制御基板３３、ランプ制御基板３４及び音制御基板３５への送信は、主制御基板３０からのみ送信することができるよう一方向通信の回路として構成されている。
【００３４】１．電源投入時
電源投入時のコマンドは、遊技機１０に電源が投入されたとき主制御基板３０から図柄制御基板３２ｂに送信されるコマンドであり、10H及び01Hの２バイト命令で構成されている。図柄制御基板３２ｂがこのコマンドを受信するとＲＯＭに書込まれた制御プログラムに従ってＬＣＤ３２ａの画面上に電源投入時のデモ画面を表示する。・・・
【００５７】・・・図柄制御基板３２ｂのマイコンは、受信したスタートコード及び各停止図柄指定コードに基づきＲＯＭから出力すべき効果音に対応したデータを読み出す処理を実行する（ステップＳ１００）。出力すべき効果音に対応したデータを読み出すと、図柄制御基板３２ｂのマイコンは図示しない出力回路を介して音制御基板３５の入出力回路３５ａに前記効果音に対応したデータを出力する（ステップＳ１１０）。音制御基板３５は、受信した音データを音源ＩＣ３５ｂ及びアンプ３５ｃを介してスピーカ３５ｃに出力する。・・・
との記載が認められる。
　
　摘記した上記の記載によれば、引用文献１には、
「　遊技の進行を司る主制御基板３０と、
　前記主制御基板３０から送信されるコマンドに対応してＬＣＤ３２ａの画面を表示する図柄制御基板３２ｂと前記主制御基板３０の指令を受けてスピーカ４６を駆動制御する音制御基板３５とを備え、
　前記主制御基板３０は、前記図柄制御基板３２ｂにコマンドを送信、前記音制御基板３５に指令を送信し、
　前記音制御基板３５は、前記図柄制御基板３２ｂからデータを入出力回路３５ａに送信できる構成とされ、
　前記図柄制御基板３２ｂから受信した音データを音源ＩＣ３５ｂ及びアンプ３５ｃを介してスピーカ３５ｃに出力するようになっている遊技機。」
の発明（以下「引用発明」という。）が開示されていると認めることができる。
　
　また、原査定の拒絶の理由に引用された特開２００１−３５３３２６号公報（以下、「引用文献２」という。）には、図面とともに、
【００３８】引き続き、主制御基板１００から払出制御基板１９０への制御コマンドの送信について再び図４を参照して説明する。ここでは、主制御基板１００のＣＰＵ１０４から、図８中に示す１個払出しの３１の１６進信号（Ｈ）の１バイトのコマンド（００１１０００１）とストローブ信号、及び、ＣＦの１６進信号（Ｈ）の１バイトのコマンド（１１００１１１１）とストローブ信号とが送られる場合を例に挙げて説明する。先ず、主制御基板１００のＣＰＵ１０４から、制御コマンドが送られると、出力ポート１０５で、ストローブ信号が出力ポート１０６に入力された時点でラッチされ、ラッチされた制御コマンドが出力バッファ１０７へ送信される。・・・
【００３９】出力バッファ１０７、１０８からの電位は、ラインＣを介して払出制御基板１９０の入力バッファ１９５、１９６へ入力される。ここで、出力バッファ１０７、１０８からの制御コマンド及びストローブ信号は、ラインＣにて電位が低下しているため、入力バッファ１９５，１９６にて電位がＴＴＬレベルまで高められ、払出制御基板１９０側のＣＰＵ１９４へ入力される。即ち、制御コマンドは、ＣＰＵ１９４の入力端子（図示せず）、ストローブ信号は割込端子１９４ａへ入力される。
【００４０】本実施形態では、出力バッファ１０７及び入力バッファ１９５として、端子１０７ａ及び端子１９５ａを接地することで、電圧降下を回復させるように動作させるため、後述するように制御コマンドを３回入力することが意味を持つ。即ち、既存の出力バッファをストローブ信号に同期して制御すると、出力はラッチされているため複数回読み出しても意味がないのに対して、本実施形態では、入力値がラッチされないので、出力バッファ、入力バッファでノイズによって誤った入力値がラッチされることがなくなる。また、制御コマンドを３回以上入力することで、ノイズに影響されない制御コマンドとノイズに影響された制御コマンドとが入力された際に、ノイズに影響されない制御コマンドを特定することが可能になる。
【００４１】引き続き、払出制御基板１９０のＣＰＵ１９４による処理について、図１５のフローチャートを参照して説明する。先ず、払出制御基板１９０のＣＰＵは、入力バッファ１９６を介して割込端子１９４ａへのストローブ信号の入力が開始されたかを判断する（Ｓ１２）。ここで、ストローブ信号の入力が開始されると（Ｓ１２：Ｙｅｓ）、制御コマンドの残り受信回数ｎとして３を設定する（Ｓ１６）。そして、３回分の割り込み周期に相当する６０μsのタイマがスタートしたかを判断する（Ｓ１８）。タイマがスタートしていない時には（Ｓ１８：Ｎｏ）、タイマをスタートする（Ｓ２０）、そして、６０μsが経過するまで待機し（Ｓ２２：Ｎｏ）、６０μsが経過してタイマがタイムアウトすると（Ｓ２２：Ｙｅｓ）、入力バッファ１９５からの制御コマンドを入力し（Ｓ２４）、入力した制御コマンドをＲＡＭ１９３へ格納する（Ｓ２６）。その後、残り受信回数ｎから１を減算して２とし（Ｓ２８）、ｎが０か、即ち、３回の受信が完了したかを判断する（Ｓ３０）。ここでは、第１回目のデータを入力したところなので（Ｓ３０：Ｎｏ）、一旦処理を終了する。
【００４２】次回のＣＰＵ１９４の割り込み周期においては、ストローブ信号開始かのＳ１２の判断がＮｏとなり、ステップ１４へ進み、残り受信回数ｎが１以上か判断する。ここでは、ｎが２なので（Ｓ１４：Ｙｅｓ）、ステップ１８へ移行し、上述したと同様に処理を進め、制御コマンドを入力してＲＡＭ１９３へ格納する。
【００４７】上述した説明では、払出制御基板１９０による制御コマンドの受信処理を例に挙げて説明したが、図５に示す特別図柄制御装置１２０、図６に示す音声制御装置１７０、図７に示すランプ制御装置１４０も、払出制御基板１９０と同様に３回制御コマンドを受信し、受信した制御コマンドを比較して、数多く一致している制御コマンドに従い処理を行う。このため、ノイズの影響を受けず、正しい処理を行うことができる。
との記載が認められる。
　
　摘記した上記の記載によれば、引用文献２には、
「主制御基板１００が制御コマンド及びストローブ信号を送信するとともに、音声制御装置１７０が前記ストローブ信号の入力後に前記制御コマンドを３回受信する技術」が開示されていると認められる。
　
３．対比
　そこで、本願発明と引用発明とを比較すると、引用発明の「遊技の進行を司る」は、本願発明の「遊技機の主制御を行う」に相当し、以下同様に、
「主制御基板３０」は「メイン制御装置」に、
「主制御基板３０から送信されるコマンドに対応して」及び「主制御基板３０の指令を受けて」は「メイン制御装置からの制御信号に基づいて」に、
「図柄制御基板３２ｂ」は「第１のサブ制御装置」に、
「音制御基板３５」は「第２のサブ制御装置」に、
「図柄制御基板３２ｂにコマンドを送信」は「第１のサブ制御装置に向けて制御信号を送信」に、
「音制御基板３５に指令を送信」は「第２のサブ制御装置に向けて制御信号を送信」に、
「入出力回路３５ａ」は「受信手段」に、
「音源ＩＣ３５ｂ及びアンプ３５ｃ」は「信号処理手段」に、それぞれ相当する。
　
　また、引用文献１全体の記載等からみて、以下のことが言える。
ａ．「ＬＣＤ３２ａ」及び「スピーカ４６」は、いずれも遊技機の構成要素であるから、引用発明における「ＬＣＤ３２ａの画面を表示する」こと及び「スピーカ４６を駆動制御する」ことは、本願発明における「遊技機の構成要素の制御を行う」ことに相当する。
　
ｂ．引用発明において、「音制御基板３５」が、「図柄制御基板３２ｂからデータを入出力回路３５ａに送信できる構成」とされていることは、「音制御基板３５」が「図柄制御基板３２ｂからのデータを受信するための入出力回路３５ａ」を備えているといえるとともに、「図柄制御基板３２ｂからのデータ」は、本願発明の「第１のサブ制御装置からの制御信号」に相当するということができる。
　
ｃ．引用発明において、「図柄制御基板３２ｂから受信した音データを音源ＩＣ３５ｂ及びアンプ３５ｃを介してスピーカ３５ｃに出力するようになっている」ことは、「図柄制御基板３２ｂからの音データに基づいてスピーカ３５ｃに出力する音源ＩＣ３５ｂ及びアンプ３５ｃを備えている」ことと言えるとともに、「図柄制御基板３２ｂからの音データ」及び「スピーカ３５ｃに出力する」は、それぞれ本願発明の「第１のサブ制御装置からの制御信号」及び「遊技を制御する」に相当するということができる。
　
　以上を総合すると、両者は、
「　遊技機の主制御を行うメイン制御装置と、
　前記メイン制御装置からの制御信号に基づいて遊技機の構成要素の制御を行う第１のサブ制御装置と第２のサブ制御装置とを備え、
　前記メイン制御装置は、前記第１のサブ制御装置と前記第２のサブ制御装置とに向けて制御信号を送信し、
　前記第２のサブ制御装置は、前記第１のサブ制御装置からの制御信号を受信するための受信手段と、
　前記第１のサブ制御装置からの前記制御信号に基づいて遊技を制御する信号処理手段とを備えた遊技機。」
の点で一致し、以下の点で相違している。
　
［相違点１］
　本願発明は、「第２のサブ制御装置」が「メイン制御装置から送信された制御信号が第１のサブ制御装置と第２のサブ制御装置とに入力した所定の契機からの経過時間を計測する時間計測手段と、受信手段から信号処理手段に前記第１のサブ制御装置からの制御信号を取得可能な許可状態と取得不能な禁止状態とに切り換える切換手段とを備え」ているのに対し、引用発明の「音制御基板３５」は、そのような手段を有しているか否か明らかでない点。
　
［相違点２］
　本願発明は、「第２のサブ制御装置」が「時間計測手段によって計測された前記所定の契機からの経過時間が予め定められた待機時間となったときに、前記切換手段を前記許可状態にすると共に」、「第１のサブ制御装置」が「前記所定の契機後であって、前記待機時間の経過前に開始されかつ前記待機時間の経過後に終了する信号送信期間の間に、同じ制御信号を前記第２のサブ制御装置に向けて送信し続ける」のに対し、引用発明の「音制御基板３５」及び「図柄制御基板３２ｂ」は、どのようにして「図柄制御基板３２ｂ」（第１のサブ制御装置）から「音制御基板３５」（第２のサブ制御装置）に「データ」（制御信号）を送信しているのか明らかでない点。
　
４．判断
［相違点１について］
　複数台の制御装置が接続されたマルチプロセッサシステムにおいて、基準時点からの経過時間を計測する時間計測手段と、各制御装置が受信手段から該制御装置の信号処理手段に他の制御装置からの制御信号を取得可能な許可状態と取得不能な禁止状態とに切り換える切換手段とを備えて、制御装置間の処理動作を時分割で行うことは、例えば、文献３：特開平６−３０１６５１号公報（特に、段落００１２〜００１５及び図１、２を参照）、文献４：特開平６−３１４２６１号公報（特に、段落００１８〜００２３、００２９〜００３１、図１及び表１を参照）及び文献５：特開平９−１１４７７５号公報（特に、段落００１０〜００１３及び図１、２を参照）に記載されているように、従来周知の技術である。
　また、メイン制御装置と複数台のサブ制御装置が接続されたマルチプロセッサシステムにおいて、複数台のサブ制御装置の各々に基準時点からの経過時間を計測する時間計測手段を設けることも、例えば、文献６：特開平２−６８６４９号公報（特に、第２頁右下欄下から４行目〜第３頁右上欄第１２行目及び第１、２図を参照）及び文献７：特開昭５６−１２３０５２号公報（特に、第２頁左下欄末行〜同頁右下欄第１１行目及び第１図を参照）に記載されているように、従来周知の技術である。
　そして、遊技機の分野においても、メイン制御装置と複数台のサブ制御装置を接続し、これらの制御装置の下で遊技機の構成要素の制御を行うことは従来慣用されているから、引用発明にマルチプロセッサシステムの分野における上記周知技術を採用し、上記相違点１に係る構成とすることは、遊技機の分野における通常の知識を有する者（以下、「当業者」という。）にとって格別困難なことではない。
　
［相違点２について］
　引用文献２（特開２００１−３５３３２６号公報）には、上記２．引用文献の項で述べたように、「主制御基板１００が制御コマンド及びストローブ信号を送信するとともに、音声制御装置１７０が前記ストローブ信号の入力後に前記制御コマンドを３回受信する技術」（以下、「引用文献２記載の技術」という。）が開示されていると認められる。
　また、引用文献２記載の技術における「音声制御装置１７０」は「ストローブ信号の入力後」に「主制御基板１００」から送信されている「制御コマンドを３回受信」しているのであるから、「主制御基板１００」は、少なくとも「ストローブ信号の入力後」所要の期間「同じ制御コマンドを音声制御装置１７０に向けて送信し続ける」ものということができる。
　ところで、引用文献２記載の技術は、主制御基板１００が制御コマンド及びストローブ信号を送信し、音声制御装置１７０がストローブ信号を入力の契機として制御コマンドを受信する技術であるが、主制御基板１００は制御コマンドを送る側の基板、音声制御装置１７０は制御コマンドを受ける側の基板として機能しているものと把握できるので、この技術を引用発明の「前記音制御基板３５は、前記図柄制御基板３２ｂからデータを入出力回路３５ａに送信できる構成」に対して適用することは、当業者にとって格別困難なことではない。
　そして、引用発明に上記［相違点１について］の項で述べた周知技術を採用するに際して、引用文献２記載の技術を併せて適用すれば、「音制御基板３５」が「図柄制御基板３２ｂ」から「データを取得可能な期間」において、「図柄制御基板３２ｂ」が「音制御基板３５に向けてデータを送信し続ける」構成となり、上記周知技術を採用した場合の上記「データを取得可能な期間」は、「主制御基板３０」が「図柄制御基板３２ｂにコマンドを送信」し「音制御基板３５に指令を送信」する時点（基準時点）からの経過時間を計測した上で、「音制御基板３５」が「図柄制御基板３２ｂ」からの「データ」を取得可能な許可状態に切り換えている期間となり、かつ、その基準時点と「データ」を取得可能な許可状態に切り換えている期間の開始時点との間になんらかの待機時間が存在することになるのは当然であるから、引用発明にマルチプロセッサシステムの分野における上記周知技術を採用するとともに、上記引用文献２記載の技術を適用して、相違点２に係る構成とすることは、当業者が容易に想到し得ることである。
　
　さらに、本願発明の作用効果も、引用発明、引用文献２記載の技術及び従来周知の技術から当業者が予測できる範囲のものである。
　よって、本願発明は、引用発明、引用文献２記載の技術及び従来周知の技術に基づいて、当業者が容易に発明をすることができたものであるから、特許法第２９条第２項の規定により特許を受けることができないものである。
　
５．むすび
　以上のとおり、本願発明は、引用発明、引用文献２記載の技術及び従来周知の技術に基づいて、当業者が容易に発明をすることができたものであるから、特許法第２９条第２項の規定により特許を受けることができない。
　よって、結論のとおり審決する。